(57)【要約】【課題】  対向電極の残留電荷を充分に除去して電気光学物質への直流電圧の印加を防止する。【解決手段】  液晶パネル１０は、面状に配列された複数の画素電極１２と、液晶１８２を挟んで各画素電極１２に対向する対向電極１７１とを有する。配線基板３０に実装された電源回路３３は、低位側電源電位Gndと対向電極１７１に印加されるコモン電位Ｖcomとを生成する。ＦＰＣ２０は、コモン電位Ｖcomを液晶パネル１０に供給するためのコモン配線２３１と低位側電源電位Gndを液晶パネル１０に供給するための接地線２３２とを有する。電源回路３３の放電用抵抗３３５は、一端がコモン配線２３１を介して対向電極１７１と電気的に接続される一方、他端が接地線２３２と電気的に接続されている。【選択図】      図３
2005215452.tif 000002
【特許請求の範囲】
【請求項１】
面状に配列された複数の画素電極と、
電気光学物質を挟んで前記複数の画素電極に対向する対向電極と、
電源電位が印加される電源線と、
一端が前記対向電極と電気的に接続されて他端が前記電源線と電気的に接続された放電用抵抗と
を具備する電気光学装置。
【請求項２】
一端が前記対向電極と電気的に接続されて他端が前記電源線と電気的に接続された平滑用コンデンサ
を具備する請求項１に記載の電気光学装置。
【請求項３】
請求項１または２に記載の電気光学装置を備えた電子機器。
【発明の詳細な説明】
【技術分野】
【０００１】
本発明は、液晶などの電気光学物質を利用した電気光学装置、およびこの電気光学装置を備えた電子機器に関する。
【背景技術】
【０００２】
液晶などの電気光学物質を用いて画像を表示する種々の電気光学装置が従来から提案されている。例えば電気光学物質として液晶を用いた電気光学装置は、走査線とデータ線との各交差に設けられたスイッチング素子（典型的には薄膜トランジスタ）に接続された画素電極と、電気光学物質を挟んで各画素電極に対向する対向電極とを有する。この構成のもと、走査線の選択によりスイッチング素子がオン状態となっているときにデータ線に対して画像の階調に応じた信号を供給することにより種々の画像が表示される。
【０００３】
この種の電気光学装置においては、画像表示の終了後にも各画素電極と対向電極とに電荷が残留する場合が生じ得る。そして、このように残留した電荷（以下「残留電荷」という場合がある）は特に液晶装置において様々な不具合の原因となることが指摘されている。例えば、電気光学装置に対する給電の停止後にも残留電荷に起因した直流電圧が液晶に印加され続けることにより、液晶の配向方向が所期の方向とは異なる方向に変化し（いわゆる「焼き付き」が発生し）、これにより表示品位の低下が引き起こされる。また、いったん画像表示が終了されてから再び画像表示が開始される段階においても依然として対向電極に電荷が残留しているとすれば、画像表示に際して実際に液晶に印加される電圧が本来の表示画像に応じた電圧とは残留電荷の分だけ異なることになるから、残留電荷に起因した画像（画像表示の終了直前に表示されていた画像）が表示画像に対して残像のように重畳されることになる。
【０００４】
このような事情を背景として、画像表示の終了に際して残留電荷を除去するための各種の技術が提案されている。例えば、特許文献１には、各画素電極および対向電極に印加される電位を画像表示の終了に際して電源の低位側電位（接地電位）まで低下させることによって残留電荷の除去を図る構成が開示されている。
【特許文献１】特開２００１−１４７４１６号公報（段落００６８、００７７および図８）
【発明の開示】
【発明が解決しようとする課題】
【０００５】
しかしながら、この技術のように画像表示の終了時に対向電極への印加電位（以下「コモン電位」という）を低下させようとしても、このコモン電位が所期の電位（例えば接地電位）まで完全には低下しない場合が生じ得る。特に、コモン電位を平滑化するためのコンデンサ（以下「平滑用コンデンサ」という）の一端が対向電極に対して電気的に接続された構成のもとでは、以下に説明するようにこの問題は顕著となる。すなわち、コモン電位を低下させ始めるタイミングにおいては、電源回路からの出力電位が不安定となるため、コモン電位が瞬間的に変動する場合がある。この変動に起因した電荷が平滑用コンデンサに蓄積されるとコモン電位は接地電位まで低下せず、したがって液晶には画像表示の終了後にも直流電圧が印加され続けるのである。本発明はこのような事情に鑑みてなされたものであり、その目的は、対向電極の残留電荷を充分に除去して電気光学物質への直流電圧の印加を防止することにある。
【課題を解決するための手段】
【０００６】
この課題を解決するために、本発明に係る電気光学装置は、面状に配列された複数の画素電極と、電気光学物質を挟んで複数の画素電極に対向する対向電極と、電源電位が印加される電源線と、一端が対向電極と電気的に接続されて他端が電源線と電気的に接続された放電用抵抗とを具備する。この構成によれば、対向電極が放電用抵抗を介して電源線に接続されているから、対向電極に蓄積される残留電荷は放電用抵抗を介して放電される。したがって、電気光学物質に対する直流電圧の印加が未然に防止される。なお、本発明における電気光学物質とは、透過率や輝度といった光学的特性が電圧の印加によって変化する物質である。もっとも、本発明は残留電荷に起因した直流電圧の印加を防止することを主目的としているから、直流電圧の印加によって特性の劣化が引き起こされ得る電気光学物質を用いた電気光学装置に対して本発明は特に好適である。この種の電気光学物質の典型的な例としては液晶が挙げられるが、これ以外の電気光学物質を用いた電気光学装置にも本発明は適用される。
【０００７】
本発明の他の態様においては、一端が対向電極と電気的に接続されて他端が電源線と電気的に接続された平滑用コンデンサが設けられる。このように平滑用コンデンサが対向電極に接続された構成のもとでは、画像表示の終了に際して平滑用コンデンサに蓄積された電荷が電気光学物質に対する直流電圧の印加の原因となり得るが、本発明によれば、平滑用コンデンサに蓄積される電荷は放電用抵抗を介して放電される。
【０００８】
ところで、本発明のように対向電極が放電用抵抗を介して電源線に接続された構成のもとでは、画像表示が実行されているときにも対向電極から放電用抵抗を経由して電源線に電流が流れることになるため、放電用抵抗の抵抗値が低い場合には消費電力の増大が問題となり得る。そこで、本発明の望ましい態様においては、放電用抵抗を介した対向電極と電源線との導通および非導通を切り替える切替手段（スイッチ）が設けられる。より具体的には、切替手段は、画像表示の終了を指示する信号が入力されることを契機として非導通状態から導通状態に切り替わる。すなわち、画像表示の実行時には切替手段が非導通状態とされることにより、対向電極から電源線への電流の流れが遮断される。したがって、電気光学装置の消費電力は低く抑えられる。一方、画像表示の終了に際して対向電極に印加される電位（コモン電位）を低下させるときに切替手段が導通状態とされることにより、放電用抵抗を経由した電流の流れが許容される。この結果、対向電極の電荷が有効に放電されるから電気光学物質への直流電圧の印加が回避される。
【０００９】
本発明に係る電子機器は、本発明に係る電気光学装置を備える。上述したように、本発明に係る電気光学装置によれば残留電荷に起因した表示品位の低下が抑えられるから、良好な表示品位が要求される電子機器に対して本発明は特に好適である。
【発明を実施するための最良の形態】
【００１０】
図面を参照しながら本発明の実施の形態を説明する。なお、以下に示す各図においては、各構成要素の寸法や比率を便宜的に実際のものとは異ならせてある。また、以下では電気光学物質として液晶を用いた液晶装置に本発明を適用した形態を中心に説明を進めるが、本発明の適用範囲をこれに限定する趣旨ではない。
【００１１】
＜Ａ：実施形態の構成＞
図１は、本発明の実施形態に係る液晶装置の構成を示す平面図であり、図２は図１におけるII−II線からみた断面図である。これらの図に示されるように、液晶装置１００は、液晶パネル１０とＦＰＣ２０と配線基板（プリント基板）３０とを有する。このうち液晶パネル１０は、マトリクス状に配列された複数の画素により画像を表示する装置であり、図２に示されるように、シール材１８１を介して貼り合わされた素子基板１１および対向基板１７と、両基板に挟まれた液晶１８２とを有する。対向基板１７のうち液晶１８２と対向する板面上には、その略全面にわたって対向電極１７１が設けられている。
【００１２】
一方、素子基板１１のうち液晶１８２と対向する板面上には、図１に示されるように、Ｘ方向に延在して走査線駆動回路１４１に接続された複数の走査線１３１と、Ｙ方向に延在してデータ線駆動回路１４３に接続された複数のデータ線１３３と、ゲート電極が走査線１３１に接続されてソース電極がデータ線１３３に接続された薄膜トランジスタ１３６と、薄膜トランジスタ１３６のドレイン電極に接続された画素電極１２とが形成されている。ひとつの画素は、画素電極１２と、これに対向する対向電極１７１と、両電極により挟まれた液晶１８２とにより構成される。素子基板１１上に形成された走査線駆動回路１４１およびデータ線駆動回路１４３は、画素電極１２に対して駆動信号（走査信号やデータ信号）を供給することによって画素を駆動する回路である。
【００１３】
素子基板１１のうち対向基板１７の周縁から張り出した部分（以下「張出部」という）１１ａには多数の配線１５が形成されている。これらの配線１５は一端が素子基板１１の周縁１１ｂに至るようにパターニングされている。走査線駆動回路１４１およびデータ線駆動回路１４３の入力端子にはこれらの配線１５の他端が接続されている。また、上述した対向電極１７１は、対向基板１７の四隅のうち少なくとも１箇所に設けられた導通材（図示略）を介して配線１５と電気的に接続されている。
【００１４】
一方、配線基板３０は、液晶パネル１０を駆動するための各種の電子回路が実装されたリジッド基板である。図１に示されるように、配線基板３０には電源回路３３がＩＣチップとして実装されている。この電源回路３３は、液晶パネル１０の走査線駆動回路１４１やデータ線駆動回路１４３が駆動信号を生成するために用いる高位側電源電位Ｖccおよび低位側電源電位Gndのほか、対向電極１７１に印加されるコモン電位Ｖcomを生成する。
【００１５】
配線基板３０の板面上には多数の配線３１が形成されている。これらの配線３１は、電源回路３３を含む種々の電子回路から出力された信号を伝送するためのものであり、各電子回路から図１の接続部３５に至るようにパターニングされている。例えば、図１に示す配線３１１は、電源回路３３のうちコモン電位Ｖcomの出力端子３３１から接続部３５に至るように形成され、配線３１２は電源回路３３のうち低位側電源電位Gndの出力端子３３２から接続部３５に至るように形成されている。
【００１６】
液晶パネル１０と配線基板３０とはＦＰＣ２０を介して接続されている。このＦＰＣ２０は、可撓性を有するフィルム状の基材２１を有する。この基材２１のうち液晶パネル１０および配線基板３０に対向する板面（図１の紙面に対して奥側の板面）上には、基材２１のうち液晶パネル１０に固定される端部２１ａから配線基板３０に固定される端部２１ｂに至るように多数の配線２３が形成されている。これらの配線２３は、配線基板３０と液晶パネル１０とを電気的に接続するためのものである。より具体的には、基材２１の端部２１ａ近傍が異方性導電膜（図示略）を介して素子基板１１の張出部１１ａに固定された状態において、各配線２３は素子基板１１の周縁１１ｂに形成された配線１５と電気的に接続される。一方、基材２１の端部２１ｂが異方性導電膜（図示略）を介して配線基板３０の接続部３５に固定された状態において、各配線２３は接続部３５に至った配線３１と電気的に接続される。これらの配線２３のうち図１に示す配線２３１（以下では特に「コモン配線２３１」と表記する場合がある）は、図３に示されるように、配線基板３０の接続部３５に至った配線３１１と電気的に接続されてコモン電位Ｖcomを液晶パネル１０に供給する。一方、配線２３２（以下では特に「接地線２３２」と表記する場合がある）は、同図に示されるように、配線基板３０の配線３１２と電気的に接続されて低位側電源電位Gndを液晶パネル１０に供給する。
【００１７】
図１に示されるように、コモン配線２３１と接地線２３２とは基材２１上において相互に隣接する。そして、コモン配線２３１と接地線２３２との間には平滑用コンデンサ（ここではチップコンデンサ）２５が介挿されている。図１および図３に示されるように、平滑用コンデンサ２５は、その一端がコモン配線２３１に接続されるとともに他端が接地線２３２に接続された状態で基材２１上に実装されている。したがって、平滑用コンデンサ２５は、コモン電位Ｖcomに発生するノイズやリプルを平滑化するためのバイパスコンデンサとして機能する。このため、平滑用コンデンサ２５は、コモン電位Ｖcomのノイズやリプルを除去するのに充分な静電容量（例えば３０μＦ（マイクロファラド））を有する。以上のように本実施形態においては平滑用コンデンサ２５がＦＰＣ２０上に実装されているから、電源回路３３により生成されたコモン電位Ｖcomおよび低位側電源電位Gndは、配線基板３０に設けられた配線３１のインダクタンス成分Ｌ1のほかＦＰＣ２０に設けられた配線２３のインダクタンス成分Ｌ2を経由した後の段階でノイズやリプルが除去される。したがって、平滑用コンデンサ２５を配線基板３０上に設けた構成と比較して、対向電極１７１に印加されるコモン電位Ｖcomのノイズやリプルが有効に低減されるという利点がある。
【００１８】
ここで、本実施形態における電源回路３３は、画像表示の停止を指示する信号がＣＰＵ（Central Processing Unit）などの上位装置から入力されることを契機として、コモン電位Ｖcomを低位側電源電位Gndまで低下させるように動作する。この構成により各画素電極１２および対向電極１７１を略同電位とすれば、画像表示の停止時に液晶１８２に直流電圧が印加される事態が防止される。しかしながら、本実施形態のように平滑用コンデンサ２５を対向電極１７１に接続した構成のもとでは、コモン電位Ｖcomが低位側電源電位Gndに到達するまで完全には低下しない場合が生じ得る。すなわち、コモン電位Ｖcomの低下を開始するタイミングでは電源回路３３からの出力電位が不安定となるためにコモン電位Ｖcomが瞬間的に変動し、この変動（ノイズ）に起因した電荷が平滑用コンデンサ２５に蓄積され得る。特に、平滑用コンデンサ２５の静電容量は液晶パネル１０における他の要素と比較して著しく大きいから、平滑用コンデンサ２５にはコモン電位Ｖcomのノイズに起因して相当量の電荷が蓄積される。このように画像表示の停止に伴なって平滑用コンデンサ２５に電荷が蓄積されると、コモン電位Ｖcomが低位側電源電位Gndまで低下せず、したがって画像表示の停止後にも液晶１８２に対して直流電圧が印加され続ける事態が生じ得る。
【００１９】
この問題を解決するために、本実施形態における電源回路３３は、図１および図３に示されるように、コモン電位Ｖcomの出力端子３３１と低位側電源電位Gndの出力端子３３２との間に介挿された放電用抵抗３３５を有する。さらに詳述すると、放電用抵抗３３５は、一端が配線３１１、コモン配線２３１および配線１５を介して対向電極１７１と電気的に接続され、他端が配線３１２を介して接地線２３２と電気的に接続された電気抵抗である。この構成によれば、コモン電位Ｖcomが低下し始めるときに当該コモン電位Ｖcomが瞬間的に変動して平滑用コンデンサ２５に電荷が蓄積されようとしても、図３の矢印Ａにて示されるように、この電荷は放電用抵抗３３５を経由して接地線２３２に放電される。この結果、コモン電位Ｖcomを接地線２３２の低位側電源電位Gndと略一致するまで低下させることができるから、平滑用コンデンサ２５に蓄積された電荷に起因して液晶１８２に直流電圧が印加される事態は未然に防止される。
【００２０】
ここで、平滑用コンデンサ２５に蓄積された電荷を効率よく放電するという観点からすると放電用抵抗３３５の抵抗値はより低いことが望ましい。特に、平滑用コンデンサ２５の静電容量が大きいほどこれに蓄積され得る電荷量は増大するから、この電荷を充分に放電するためには抵抗値の低い放電用抵抗３３５を利用する必要がある。しかしながら、この放電用抵抗３３５の抵抗値があまりに低いと、液晶パネル１０により画像表示が行なわれるときに対向電極１７１から放電用抵抗３３５を経由して電流が流れ続けることとなって消費電力の増大を招きかねない。この観点に基づく実験の結果、本願発明者は、放電用抵抗３３５の抵抗値を１００ｋΩ（キロオーム）程度とすれば消費電力の問題を生じさせることなく平滑用コンデンサ２５の電荷を有効に放電させることができるという知見を得るに至った。したがって、放電用抵抗３３５の抵抗値は１００ｋΩ以上とすることが望ましい。さらに望ましい態様において、放電用抵抗３３５の抵抗値は、コモン電位Ｖcomを生成する電源回路３３の出力インピーダンスよりも充分に大きい数値とされる。
【００２１】
＜Ｂ：変形例＞
上記実施形態に対しては種々の変形が加えられ得る。具体的な変形の態様を挙げれば以下の通りである。
【００２２】
（１）上記実施形態においては放電用抵抗３３５が電源回路３３内に設けられた構成を例示したが、本発明において放電用抵抗の配置箇所や形態は任意である。例えば、放電用抵抗が液晶パネル１０に設けられた構成としてもよい。すなわち、図４に示されるように、液晶パネル１０の素子基板１１に形成された配線１５のうちコモン電位Ｖcomが印加される配線１５１と低位側電源電位Gndが印加される配線１５２との間に放電用抵抗３３６が介挿された構成としてもよい。この態様における放電用抵抗３３６は、配線１５よりも抵抗率が高い導電性材料によって形成され得る。さらに、液晶パネル１０の構成要素と共通の工程において放電用抵抗３３６が形成されるようにすれば、放電用抵抗３３６を独立の工程にて形成する場合と比較して製造工程の簡略化や製造コストの低減が図られる。例えば、半導体層がポリシリコンにより形成された画素スイッチング用の薄膜トランジスタ１３６（あるいは走査線駆動回路１４１またはデータ線駆動回路１４３を構成する薄膜トランジスタ）を有する液晶パネル１０においては、この半導体層と同時に放電用抵抗３３６が形成され得る。すなわち、素子基板１１の全面を覆うように設けられたポリシリコン層をパターニングすることによって、薄膜トランジスタ１３６と放電用抵抗３３６とが一括的に形成される。また、放電用抵抗が独立した電気部品として液晶装置１００に実装された構成も採用され得る。この場合の放電用抵抗は、配線基板３０に実装されていてもよいしＦＰＣ２０に実装されていてもよい。さらに、複数の放電用抵抗が配設された構成としてもよい。
【００２３】
（２）上記実施形態においては、対向電極１７１と接地線２３２とが放電用抵抗３３５を介して恒常的に接続された構成を例示したが、対向電極１７１と接地線２３２との導通および非導通を切り替えるスイッチが設けられた構成も採用され得る。例えば、図５に示されるように、放電用抵抗３３５と接地線２３２との間にスイッチ４０が介挿された構成としてもよい。このスイッチ４０は、外部から与えられる信号Ｓに基づいて、画像表示が終了されるタイミング（すなわちコモン電位Ｖcomが低下し始めるタイミング）にてオン状態となる一方、液晶パネル１０による画像表示が実行されているときにはオフ状態を維持する。この構成によれば、画像表示が実行されているときに対向電極１７１から放電用抵抗３３５を介して接地線２３２に電流が流れることはない。したがって、平滑用コンデンサ２５に蓄積された電荷が効率的に放電するように放電用抵抗３３５の抵抗値を低く設定したとしても消費電力の増大が回避されるという利点がある。
【００２４】
（３）上記実施形態においては平滑用コンデンサ２５がＦＰＣ２０に実装された構成を例示したが、この平滑用コンデンサ２５の配置箇所や形態は任意である。すなわち、平滑用コンデンサ２５は、電源回路３３内に設けられてもよいし配線基板３０上に実装されていてもよい。さらに、平滑用コンデンサ２５が電気部品として実装されている必要はなく、コモン電位Ｖcomが印加される配線（例えばコモン配線２３１）と低位側電源電位Gndが印加される配線（例えば接地線２３２）とを相互に近接して配置すればこれらの配線２３を平滑用コンデンサ２５の電極として機能させることができる。また、複数の平滑用コンデンサ２５の各々が異なる箇所に配置された構成も採用され得る。もっとも、平滑用コンデンサ２５は本発明において必須の要件ではなく適宜に省略され得る。
【００２５】
（４）上記実施形態においてはコモン電位Ｖcomと電源電位（高位側電源電位Ｖccおよび低位側電源電位Gnd）とがひとつの電源回路３３によって生成される構成を例示したが、電源電位を生成する回路とコモン電位Ｖcomを生成する回路とを別個の回路としてもよい。また、電源回路３３がＦＰＣ２０や液晶パネル１０に実装された構成も採用され得る。なお、コモン電位Ｖcomは、典型的には略一定の電位であるが、時間の経過とともにレベルが変動する電位であってもよい。例えば、表示画像の階調に応じて画素電極１２に印加される電位が所定時間（例えば水平走査期間や垂直走査期間）ごとに基準電位に対して極性反転される構成のもとでは、この極性反転に同期してコモン電位Ｖcomのレベルを変動させる構成も採用され得る。
【００２６】
（５）上記実施形態においては電気光学物質として液晶を用いた液晶装置を例示したが、これ以外の電気光学物質を用いた電気光学装置にも本発明は適用され得る。例えば、有機ＥＬ（ElectroLuminescent）や発光ポリマーなどの有機発光ダイオード（ＯＬＥＤ）素子を電気光学物質として用いた表示装置、ヘリウムやネオンなどの高圧ガスを電気光学物質として用いたプラズマディスプレイパネル、あるいは蛍光体を電気光学物質として用いたフィールドエミッションディスプレイなど種々の電気光学装置に本発明を適用可能である。
【００２７】
＜Ｃ：電子機器＞
次に、本発明に係る電気光学装置を有する電子機器について説明する。
【００２８】
図６は、本発明に係る電気光学装置（ここでは上記実施形態に係る液晶装置１００）をライトバルブとして用いたプロジェクタの構成を示す平面図である。同図に示されるように、プロジェクタ２１００は、ハロゲンランプなどの白色光源からなるランプユニット２１０２を有する。このランプユニット２１０２から出射した投射光は、３枚のミラー２１０４および２枚のダイクロイックミラー２１０８によって赤色（Ｒ）、緑色（Ｇ）および青色（Ｂ）の３原色に対応する波長の光に分離され、各色に対応するライトバルブ１００Ｒ、１００Ｇおよび１００Ｂにそれぞれ導かれる。なお、青色に対応する光は、他色に対応する光と比較して光路が長いので、その損失を防ぐためにリレーレンズ系２１２１を介してライトバルブ１００Ｂに導かれる。リレーレンズ系２１２１は、入射レンズ２１２２、リレーレンズ２１２３および出射レンズ２１２４からなる。
【００２９】
ここで、ライトバルブ１００Ｒ、１００Ｇおよび１００Ｂは上記実施形態に係る液晶装置１００と同様の構成を有し、図示しない画像信号処理回路から供給される赤色、緑色および青色の各色に対応する画像信号によって各々が駆動される。これらのライトバルブ１００Ｒ、１００Ｇおよび１００Ｂによって変調された光は、ダイクロイックプリズム２１１２に異なる方向から入射する。そして、このダイクロイックプリズム２１１２において、赤色および青色の光は９０度だけ屈折させられる一方、緑色の光は直進する。この構成のもと、各色の画像を合成したカラー画像が投射レンズ２１１４によってスクリーン２１２０に投射される。
【００３０】
なお、本発明に係る電気光学装置が利用され得る電子機器としては、図６に示されるプロジェクタのほかにも、携帯電話機、可搬型のパーソナルコンピュータ、液晶テレビ、ビューファインダ型（またはモニタ直視型）のビデオレコーダ、カーナビゲーション装置、ページャ、電子手帳、電卓、ワードプロセッサ、ワークステーション、テレビ電話、ＰＯＳ端末、タッチパネルを備えた機器等などが挙げられる。
【図面の簡単な説明】
【００３１】
【図１】本発明の実施形態に係る液晶装置の全体構成を示す平面図である。
【図２】図１におけるII−II線からみた断面図である。
【図３】コモン電位と低位側電源電位とに着目して同液晶装置の電気的構成を示すブロック図である。
【図４】変形例に係る液晶装置のうち素子基板上の配線の態様を示す平面図である。
【図５】変形例に係る液晶装置の電気的構成を示すブロック図である。
【図６】本発明に係る電子機器の一例たるプロジェクタの構成を示す断面図である。
【符号の説明】
【００３２】
１００……液晶装置、１０……液晶パネル、１１……素子基板、１２……画素電極、１４１……走査線駆動回路、１４３……データ線駆動回路、１５，２３，３１……配線、１７……対向基板、１７１……対向電極、２０……ＦＰＣ、２１……基材、２３１……コモン配線、２３２……接地線（電源線）、２５……平滑用コンデンサ、３３５，３３６……放電用抵抗、３０……配線基板、３３……電源回路、４０……スイッチ。
【図１】
2005215452.tif 000003
【図２】
2005215452.tif 000004
【図３】
2005215452.tif 000005
【図４】
2005215452.tif 000006
【図５】
2005215452.tif 000007
【図６】
2005215452.tif 000008